(57)【要約】【課題】自動販売機等の装飾の自由度を高めるとともに、装飾の変更、補修等を容易にする自動販売機等に用いるフロントカバーを提供すること。【解決手段】自動販売機等のフロント扉に装着されるフロントカバーであって、自動販売機等のフロント扉に着脱自在に固着されるカバー本体（４）を有しており、カバー本体（４）は、商品展示用窓部（５）、商品選択ボタン（６）、コイン投入用窓部（７）及び商品取出用窓（８）を備えるとともに、商品広告等を表示可能な表示部（９）を任意の箇所に備えており、これにより、特に自動販売機のフロント部分を装飾性の高いインパクトのあるデザインにすることを可能にし、更に、広告の入れ替え、補修の際にはフロントカバーのみを交換することで、再塗装等を不要にし、広告の入れ替え作業、補修作業を容易にするとともに、その際のコストを抑えることを可能にした。【選択図】図１
2007065792.tif 000002
【特許請求の範囲】
【請求項１】
自動販売機等のフロント扉に装着されるフロントカバーであって、
自動販売機等のフロント扉に着脱自在に固着されるカバー本体（４）を有するとともに、該カバー本体（４）の任意の箇所に商品広告等を表示可能としたことを特徴とする自動販売機等のフロントカバー。
【請求項２】
前記カバー本体（４）は、少なくとも、自動販売機フロント面における商品展示部分を覆う寸法に設定されるとともに商品展示用窓部（５）を備えたことを特徴とする請求項１に記載の自動販売機等のフロントカバー。
【請求項３】
前記カバー本体（４）は、少なくとも、自動販売機フロント面におけるコイン投入口を覆う寸法に設定されるとともに、コイン投入用窓部（７）を備えたことを特徴とする請求項１又は請求項２に記載の自動販売機等のフロントカバー。
【請求項４】
前記カバー本体（４）は、少なくとも、自動販売機フロント面における商品取り出し口を覆う寸法に設定されるとともに、商品取出用窓（８）を備えたことを特徴とする請求項１乃至請求項３のいずれかに記載の自動販売機等のフロントカバー。
【請求項５】
前記カバー本体（４）をプラスチックにより形成したことを特徴とする請求項１乃至請求項４のいずれかに記載の自動販売機等のフロントカバー。
【請求項６】
前記商品広告等を表示可能箇所の裏側に照明手段を配設したことを特徴とする請求項１乃至請求項５のいずれかに記載の自動販売機等のフロントカバー。
【発明の詳細な説明】
【技術分野】
【０００１】
本発明は自動販売機、ショーケース等のフロントカバーに係り、より詳しくは、自動販売機、ショーケース等におけるフロント扉に着脱自在に装着され、これにより自動販売機等のフロントを保護可能にするとともに自動販売機等のフロントにおける装飾の自由度を高めることを可能にした自動販売機等のフロントカバーに関する。
【背景技術】
【０００２】
一般的に、自動販売機やショーケースは、その設置、あるいは回収に際しては、いわゆる「ねこ」と呼ばれる手押しの運搬具を用いて運搬されるが、このとき、自動販売機等のフロント面を下側にして運搬具に乗せ、この状態で設置場所等に運搬していくのが一般的である。
【０００３】
このように、自動販売機等はその運搬に際してフロント面を下側にして運搬していくため、フロント側の形状等に制約が生じてしまい装飾性に富んだインパクトのある自動販売機を製造できないという問題点が従来から指摘されていた。
【０００４】
即ち、インパクトのある自動販売機等にするためには、フロント側に目立つ装飾を施すことが望ましく、そのためには、例えばフロント面に凹凸を有する商品広告等を形成したり、フロント面を正面側に向けて湾曲したりすることが考えられるが、例えばフロント面に凹凸を形成した場合、あるいはフロント面を正面側に向けて湾曲させた場合には、運搬の際にこの凹凸を形成した部分、あるいは湾曲部分が下側になるため、運搬中の振動等により、これらの凹凸面、湾曲面が損傷してしまうことも十分に考えられる。
【０００５】
またこのほか、自動販売機やショーケースの設置、回収に際しては、クレーン、リフトを用いることもあり、例えばクレーンを用いた場合には、自動販売機にロープをかけて、このロープにクレーン先端を引っかけて、これによりクレーンで自動販売機を吊しながら移動、設置を行うが、このとき、フロント面に凹凸を形成した場合、あるいはフロント面を正面側に向けて湾曲させた場合において、この凹凸部分等にロープがかかってしまった場合には凹凸面等が割れてしまうことも考えられる。更に、クレーンで吊っている途中で作業者が自動販売機の揺れを止めるために自動販売機に触れる場合があるが、このときもまた、自動販売機は一般的に４００ｋｇ以上の重量であるため、フロント面に凹凸を形成した場合、あるいはフロント面を正面側に向けて湾曲させた場合において、この凹凸部分等に作業者が触れてしまった場合には、凹凸面等が割れてしまうことも考えられる。
【０００６】
そのために、従来の自動販売機等では、運搬の際の損傷を最小限に抑えることを目的として、フロント面はできるだけフラットにすることが行われており、それにより、特にフロント面の装飾の自由度が制約されてしまい、インパクトのある自動販売機等の製造には限界が生じていた。
【０００７】
また、自動販売機等においては、フロント扉に商品広告等を表示していることが一般的に行われているが、従来はフロント扉に塗装等により商品広告等を表示しており、これを他の広告に変更する場合には少なくともフロント扉全面を再塗装しなければならず、手間がかかるとともにコストも上がってしまうという問題点があった。
【０００８】
そしてこのことは、自動販売機等の補修の際にも言えることであり、即ち、自動販売機等の補修を行う場合には傷等のある箇所を含めてすべての塗装をし直すことが一般的であるため、そのための手間と費用がかかってしまうという問題点が考えられた。
【発明の開示】
【発明が解決しようとする課題】
【０００９】
そこで、本発明は、特に自動販売機等のフロント面の装飾の自由度を高めてインパクトのある自動販売機にすることが可能であるとともに、装飾の変更、補修等を容易にする自動販売機等に用いるフロントカバーを提供することを課題としている。
【課題を解決するための手段】
【００１０】
本発明の自動販売機等のフロントカバーは、自動販売機等のフロント扉に装着されるフロントカバーであって、自動販売機等のフロント扉に着脱自在に固着されるカバー本体を有するとともに、このカバー本体の任意の箇所に商品広告等を表示可能としたことを特徴としている。
【発明の効果】
【００１１】
本発明の自動販売機等のフロントカバーは、自動販売機等のフロント扉に着脱自在に装着されるカバー本体を有しており、このカバー本体の任意の箇所には商品広告等を表示可能としているため、このフロントカバーに商品広告等を表示するとともに、それを自動販売機等のフロント扉に装着することにより、自動販売機のフロント面をインパクトのある装飾にすることが可能である。そしてそのとき、本発明の自動販売機等のフロントカバーは自動販売機等のフロント扉に着脱自在としているため、広告等を入れ替える際、あるいは損傷等を受けた場合でもフロントカバーのみを交換すれば足り、全面の再塗装を行う必要が無いために、手間、費用を少なくすることが可能である。
【発明を実施するための最良の形態】
【００１２】
本発明の自動販売機等のフロントカバーでは、プラスチック製の板材により形成したカバー本体を有しており、このカバー本体は、接着材あるいは両面テープ等により、自動販売機等のフロント扉に着脱自在に固着される。
【００１３】
そして、カバー本体の任意の箇所には、任意の手法により商品広告等を表示可能な表示部を有している。
【００１４】
ここで、カバー本体を、少なくとも、自動販売機フロント面における商品展示部分を覆う寸法に設定するとともに、商品展示用窓部と商品選択ボタンを備えるとよい。
【００１５】
また、カバー本体を、少なくとも、自動販売機フロント面におけるコイン投入口を覆う寸法に設定するとともに、コイン投入用窓部を備えてもよく、あるいは、カバー本体を、少なくとも、自動販売機フロント面における商品取り出し口を覆う寸法に設定するとともに、商品取り出し口を備えてもよい。
【００１６】
更に、前記商品広告等を表示可能箇所の裏側に、ＬＥＤ、導光手段等の照明手段を配設し、これにより商品広告を強調可能にしてもよい。
【実施例１】
【００１７】
本発明の自動販売機等のフロントカバー（以下単に「フロントカバー」という。）の実施例について図面を参照して説明すると、図１は本実施例のフロントカバーを説明するための図であり、図において１が本実施例のフロントカバーである。
【００１８】
また、図においてＶは自動販売機であり、この自動販売機Ｖは、フロント側に開閉自在のフロント扉３１を有しており、このフロント扉３１の正面側には、販売される商品見本を展示する商品展示部分３２、購入を希望する商品を選択するための商品選択ボタン３３、払い戻しレバー等を有したコイン投入口３４、及び商品取り出し口３５が形成されている。なお、図において３７は、フロント扉３１を開く際に用いる鍵穴である。
【００１９】
次に、図において、本実施例のフロントカバー１は、前記自動販売機Ｖにおけるフロント扉３１の正面部分の全面を覆うメインカバー２と、このメインカバー２の上下方向に沿った両端に後方側へ連設することにより形成した、フロント扉３１の両サイド部分を覆うサイドカバー３とを有しており、メインカバー２とサイドカバー３とによりカバー本体４を構成している。
【００２０】
そして、メインカバー２で前記フロント扉３１の正面側を覆うとともにサイドカバー２でフロント扉３１の側面を覆う配置で、前記フロント扉３１に装着可能としている。
【００２１】
なお、本実施例において前記カバー本体４は全体をプラスチックにより一体形成しているが、必ずしもプラスチックにより形成する必要はなく、その他、アルミ等の金属板により形成してもよい。
【００２２】
また、カバー本体４は必ずしも一体形成する必要もなく、２分割以上に分割して形成してもよく、これによれば、例えば交換等を行う場合には必要な箇所のみを交換すればよく、交換作業が容易になるとともにコストを抑えることも可能となる。
【００２３】
次に、前記メインカバー２について説明すると、本実施例において前記メインカバー２は、前記自動販売機Ｖにおけるフロント扉３１の正面部分の全面を覆うことが可能な寸法にするとともに、全体的に前面側へ湾曲させた形状としており、更に、上部は、自動販売機のフロント扉３１よりも上方に突出する寸法としており、上方に突出する部分を略波形に変形させた形状としている。
【００２４】
そして、カバー本体４を自動販売機Ｖに装着した際に前記商品展示部分３２に対応する箇所を切り欠いて窓を形成し、この部分を、自動販売機Ｖのフロント扉３１における商品展示部分３２に対応させた商品展示用窓部５にしている。
【００２５】
更に、この商品展示用窓部５の下段には、商品選択ボタン６を配置するとともに、この商品選択ボタン６を自動販売機Ｖ内部の制御手段に接続し、商品選択ボタン６を押すことにより所望する商品を選択可能にしている。但し、この商品選択ボタン６は必ずしも必要なものではなく、これを備えず、商品展示用窓部５を介して自動販売機Ｖの商品選択ボタン３３を操作可能にしてもよい。
【００２６】
また、商品展示用窓部５は必ずしも切り欠いて形成する必要はなく、カバー本体４を自動販売機Ｖに装着した際に前記商品展示部分３２に対応する箇所等を透明にし、これにより商品展示用窓部５としてもよい。例えば、図２は商品展示用窓部５を透明にした形態のフロントカバー１を説明するための図であり、図においては、薄墨を付してある箇所を透明としている。即ち、この図２に示すフロントカバー１では、これを自動販売機Ｖに装着した際に前記商品展示部分３２に対応する箇所及びその近傍を透明にして構成し、これにより自動販売機Ｖの商品展示部分３２を目視可能としている。
【００２７】
またそのほか、カバー本体４を自動販売機Ｖに装着した際に前記商品展示部分３２に対応する箇所等に商品の絵、写真等を表示し、この部分を商品展示用窓部５としてもよい。
【００２８】
次に、前記メインカバー２において、前記自動販売機Ｖにおけるフロント扉３１に備えたコイン投入口部分に対応した部分には切り欠きが形成されており、この部分がコイン投入用窓部７とされ、このコイン投入用窓部７を介して、自動販売機Ｖへのコイン投入等を可能にしている。
【００２９】
次に、図において８は商品取出用窓であり、即ち、本実施例のフロントカバー１において、前記自動販売機Ｖにおけるフロント扉３１に備えた商品取出口３５に対応した箇所には切り欠きが形成され、この部分が商品取出用窓８とされており、この商品取出用窓８を介して、商品取出し口に落下してきた商品を取出し可能にしている。
【００３０】
なお、自動販売機においては、フロント面にゲーム等を備えたものも存在しているが、かかる自動販売機用に本発明のフロントカバーを用いる場合には、適宜、カバー本体に、ゲーム等を表示可能な窓部等を形成してもよい。
【００３１】
次に、図において９は、商品広告等を表示するための表示部であり、即ち、本実施例のフロントカバー１では、メインカバー２における任意の箇所に商品広告等を表示可能な表示部９を備えており、この表示部９に商品広告等を表示可能としている。そして、本実施例においては、メインカバー２の上方部分及び中段部分に表示部９を備えており、上方に備えた表示部９では、自動販売機Ｖのフロント扉３１の上方へ突出する形態としている。また、中段に備えた表示部９では、フロントカバー１の前面側へ向けて肉厚を持たせた表示部としており、これにより、自動販売機Ｖに接する者に強いインパクトを与えることを可能にしている。なお、表示部９の箇所は特に限定されず、いずれの箇所に商品広告等を表示してもよい。
【００３２】
また、図示を省略するが、本実施例のフロントカバー１では、表示部９の背面側に照明手段を配置して、これにより表示部９に表示した商品広告等を強調可能としている。そして、照明手段の配置方法としては、例えば表示部９の背面側にＬＥＤを配置する方法が考えられ、あるいは、その他の手段としては、表示部９の背面側に導光手段を配置して、これにより、自動販売機Ｖの商品展示部分に配置されている蛍光灯等の光を表示部９の背面側に導く方法等が考えられ、これらの方法を採用することにより、表示部９に表示した商品広告等を夜間等においても強調することが可能となる。
【００３３】
次に、本実施例のフロントカバー１の作用について説明すると、本実施例のフロントカバー１を使用する場合には、前述したように、メインカバー２で自動販売機Ｖのフロント扉３１の正面側を覆うとともにサイドカバー２でフロント扉３１の側面を覆う配置で、フロントカバー１を自動販売機Ｖのフロント扉３１に装着し、その状態で、接着材、両面テープ等により、フロントカバー１を自動販売機Ｖのフロント扉３１に固着する。
【００３４】
そうすると、これにより、自動販売機Ｖの正面側をインパクトのある広告等で装飾することができるとともに、自動販売機Ｖのフロント扉３１を保護することも可能となる。
【００３５】
このように、本実施例のフロントカバー１は、自動販売機Ｖのフロント扉に着脱自在に装着可能としているため、運搬に際しての制約により正面側をフラットにせざるを得ない自動販売機の正面側を装飾性の高いインパクトのあるデザインにすることが可能である。
【００３６】
また、広告の入れ替えや修復の際には、フロントカバー１のみを交換すればよく、従来のような全面の再塗装等を不要とし、手間及びコストを少なくすることが可能となり、従って、特に自動販売機のフロント面におけるデザインの制約を無くすることが可能となる。
【００３７】
なお、前述の実施例では、自動販売機Ｖにおける正面側全面を覆うことが可能なフロントカバーについて説明したが、本発明のフロントカバーでは、必ずしも自動販売機Ｖにおける正面側全面を覆う形態には限定されず、自動販売機Ｖにおける正面側の一部を覆う形態としてもよい。
【００３８】
例えば、図３に示すフロントカバー１１では、自動販売機Ｖにおけるフロント扉３１の商品展示部分３２及びその近傍のみを覆う形態としており、このフロントカバー１１では、商品展示用窓部５及び商品選択ボタンを配置するとともに、商品展示用窓部５の上方に商品広告等を表示している。
【００３９】
また、図４に示すフロントカバー２１では、自動販売機Ｖにおけるフロント扉３１における、商品展示部分の上方部分のみを覆う形態としており、商品広告等を表示する表示部９のみを有している。
【００４０】
なお、前述の実施例では自動販売機のカバーとして用いる場合について説明したが、本発明は必ずしも自動販売機用のフロントカバーには限定されず、その他、例えば飲料、食品等を収容するショーケースのカバーとして用いることも可能である。
【００４１】
また、前述の実施例において、カバー本体４はメインカバー２とサイドカバー３とにより構成される形態としたが、自動販売機におけるフロント扉の正面のみを覆うようにメインカバーのみで構成した形態としてもよい。
【産業上の利用可能性】
【００４２】
本発明のフロントカバーは、自動販売機、ショーケース等のフロント扉に着脱自在に装着されるカバー本体を有するとともに、このカバー本体の任意の箇所に商品広告等を表示可能としているため、商品を収納して展示する機器の全般に適用可能である。
【図面の簡単な説明】
【００４３】
【図１】本発明のフロントカバーの実施例を説明するための図である。
【図２】本発明のフロントカバーにおいて商品展示用窓部及びその近傍を透明にした形態を説明するための図である。
【図３】本発明のフロントカバーの実施例の他の形態を説明するための図である。
【図４】本発明のフロントカバーの実施例の他の形態を説明するための図である。
【符号の説明】
【００４４】
１、１１、２１    フロントカバー
２    メインカバー
３    サイドカバー
４    カバー本体
５    商品展示用窓部
６    商品選択ボタン
７    コイン投入用窓部
８    商品取出用窓
９    表示部
【図１】
2007065792.tif 000003
【図２】
2007065792.tif 000004
【図３】
2007065792.tif 000005
【図４】
2007065792.tif 000006